(57)【特許請求の範囲】
【請求項１】
胴部６より口頚部７を起立するとともに、比重の相違する互いに非溶解性の二液を収納した容器体２と、容器体内上部へ下端の吸い込み口ａを垂下させて装着した押し下げヘッド式の液体噴出ポンプ３と、吸い込み口ａに一端を連通固定するとともに、他端を下方へ垂下させて容器体内下部の重液Ａ底部に重液用の第一吸引口ｂを開口する重液用パイプ４と、該パイプと並列して吸い込み口に一端を連通固定するとともに、他端を軽液Ｂに浮かせた浮き17に連結して弛んだ状態で支持され、且つ、軽液Ｂ上部に軽液用の第二吸引口ｃを開口した可撓性の軽液用パイプ５とを備え、液の減少に伴う浮き17の下降に対応して軽液用パイプ５が変形する如く構成したことを特徴とする液体噴出器。
【請求項２】
上記浮き17が、軽液Ｂに浮かせるとともに、空気を充満した中空の浮き17であり、上記軽液用パイプ５が、一端を吸い込み口ａに連通固定するとともに、他端を浮き17の下面に連結してＵ字状に弛んだ状態で支持され、且つ、軽液用の第二吸引口ｃを軽液Ｂ上部に開口した軽液用パイプ５である請求項１記載の液体噴出器。
【請求項３】
上記浮き17が、中央窓孔21に重液用パイプ４を挿通させて吸い込み口ａ下方の軽液Ｂに浮かせた板状の浮き17であり、上記軽液用パイプ５が、一端を吸い込み口ａに連通固定するとともに、他端を浮き17に貫設した透孔に密嵌させて螺旋状に弛んだ状態で支持され、軽液Ｂ上部に軽液用の第二吸引口ｃを開口した軽液用パイプ５である請求項１記載の液体噴出器。
【発明の詳細な説明】
【０００１】
【発明の属する技術分野】
本発明は液体噴出器に関する。
【０００２】
【従来の技術】
液体噴出器として、例えば、胴部より口頚部を起立した容器体と、容器体に装着した押し下げヘッド式のポンプを備えたものが一般に知られている。これらのポンプは、例えば、容器体内へ垂下したシリンダの上部を、口頚部に嵌合させた装着キャップにより固定し、シリンダ下端の吸い込み口に装着したパイプを容器体内下部に垂下させる。また、シリンダに内嵌させた環状ピストンを下部外周より突設したステムの上端をシリンダ上端開口より上方へ突出させて、その上端部に噴出ヘッドを嵌着固定させた上下動部材を備えている。また、シリンダ内下端部には吸い込み弁を、ステム内上部には吐出弁をそれぞれ設け、上下動部材はコイルスプリング等により常時上方へ付勢させており、この上下動部材を上下動させることにより容器体内の液を吸い上げてヘッドの噴出口より噴出する如く構成したものである。
【０００３】
【発明が解決しようとする課題】
従来のこの種の噴出器では、一般に容器体内に一種類の液を収納して噴出させる様に使用しているが、最近では、互いに非溶解性で比重の異なる二液を収納し、使用直前に容器を振る等して二液を混合し、噴出使用することも行われている。
【０００４】
しかしながら、容器を振っての二液の攪拌混合はそれ自体面倒であり、強く容器を振らないと充分な混合を生じない場合もあり、混合が不充分であると、吸い上げパイプの下端開口部が容器体内下部に存在することから、下方の重い液のみが噴出される様な場合があり、常時同混合比の混合液を噴出することが難しい。また、二液の種類によっては一旦混合した液の分離が早く、攪拌後すぐに噴出しなければならない場合もある等使用操作に面倒が伴う。
【０００５】
また、二液を別々の噴出器に収納してそれぞれ噴出する如くすれば、その様な不都合を解消できるものの、二つの噴出器を必要として不経済であり、保管等も嵩張る等の不都合がある。
【０００６】
本発明はこの様な点に鑑みなされたもので、一つの液体噴出器で比重の相違する非溶解性の二液を同時に保管できて嵩張らず、また、容器を振る等の操作を必要とせずに常時略同混合比の二液の噴出行うことができて使い勝手が良く、しかも構造が簡単で製造容易な液体噴出器を提案するものである。
【０００７】
【課題を解決するための手段】
本請求項１発明の液体噴出器は、上記課題を解決するため、胴部６より口頚部７を起立するとともに、比重の相違する互いに非溶解性の二液を収納した容器体２と、容器体内上部へ下端の吸い込み口ａを垂下させて装着した押し下げヘッド式の液体噴出ポンプ３と、吸い込み口ａに一端を連通固定するとともに、他端を下方へ垂下させて容器体内下部の重液Ａ底部に重液用の第一吸引口ｂを開口する重液用パイプ４と、該パイプと並列して吸い込み口に一端を連通固定するとともに、他端を軽液Ｂに浮かせた浮き17に連結して弛んだ状態で支持され、且つ、軽液Ｂ上部に軽液用の第二吸引口ｃを開口した可撓性の軽液用パイプ５とを備え、液の減少に伴う浮き17の下降に対応して軽液用パイプ５が変形する如く構成したことを特徴とする液体噴出器として構成した。
【０００８】
また、請求項２発明の噴出器は、上記浮き17が、軽液Ｂに浮かせるとともに、空気を充満した中空の浮き17であり、上記軽液用パイプ５が、一端を吸い込み口ａに連通固定するとともに、他端を浮き17の下面に連結してＵ字状に弛んだ状態で支持され、且つ、軽液用の第二吸引口ｃを軽液Ｂ上部に開口した軽液用パイプ５である請求項１記載の液体噴出器として構成した。
【０００９】
また、請求項３発明の噴出器は、上記浮き17が、中央窓孔21に重液用パイプ４を挿通させて吸い込み口ａ下方の軽液Ｂに浮かせた板状の浮き17であり、上記軽液用パイプ５が、一端を吸い込み口ａに連通固定するとともに、他端を浮き17に貫設した透孔に密嵌させて螺旋状に弛んだ状態で支持され、軽液Ｂ上部に軽液用の第二吸引口ｃを開口した軽液用パイプ５である請求項１記載の液体噴出器として構成した。
【００１０】
【発明の実施の形態】
以下、本発明の実施例の形態を図面を参照して説明する。
【００１１】
本発明の液体噴出器１は、容器体２と、ポンプ３と、重液用パイプ４と、軽液用パイプ５とを備えている。
【００１２】
容器体２は、筒状の胴部６より口頚部７起立したもので、比重の相違する互いに非溶解性の二液を収納する。二液は比重の重い重液Ａが下層に、比重の軽い軽液Ｂが上層にそれぞれ収納される。
【００１３】
ポンプ３は、従来使用されている、上端の噴出ヘッドを押し込むことにより、噴出ヘッドの噴出口より液を噴出する如く構成した押し下げヘッド式のものが使用でき、但し、その下端の吸い込み口が容器体内上部に開口する如く装着したもので、その内部機構はこの種の従来のポンプの内部機構を採用できる。
【００１４】
図示例では、口頚部７に嵌合させた補助キャップ８を介してポンプ３を装着しており、補助キャップ８は、口頚部７外周に螺着させた螺筒９を頂板10裏面より垂設するとともに、頂板周縁部より垂設した周壁11を容器体の胴部上面周縁部に垂下させ、また、頂板内周縁部より上方に外周に螺条を周設した口部12を立設して構成している。
【００１５】
そして、この口部12外周に螺着させた装着筒13により容器体２にポンプ３を固定させており、装着筒13により上端を固定されたシリンダ14の下端を容器体内上部に垂下させてその下端の吸い込み口ａを容器体内上部に開口している。また、シリンダの上端開口から図示しないステムを突設し、その上端に噴出口15付き噴出ヘッド16を嵌着固定した上下動部材を設けており、この上下動部材を上下動させることにより、内蔵ポンプ機構の作用で容器体内の液を吸い上げて噴出口15より噴出する如く構成した公知のポンプ機構を備えている。
【００１６】
重液用パイプ４は、図示例の如く、吸い込み口ａに一端を連通固定するとともに、他端を下方へ垂下させて容器体内下部の重液Ａ底部に重液用の第一吸引口ｂを開口している。
【００１７】
また、軽液用パイプ５は、重液用パイプ４と並列して吸い込み口ａに一端を連通固定するとともに、他端を軽液Ｂに浮かせた浮き17に連結して弛んだ状態で支持されたもので、液の減少により浮き17が下降した際に、その浮き17の下降に対応して変形する柔軟な合成樹脂等の可撓性材質で形成されている。例えば、図１に示す如くＵ字状に弛んだ状態で支持されるものや、図２に示す如く、螺旋状に弛んだ状態で支持されるものが採用でき、収納液内に浸漬状態であっても、収納液から外れた状態であっても良い。また、その長さは、大半の液が無くなるまで変形が可能な長さとすれば良い。
【００１８】
また、軽液用パイプ５は、軽液Ｂ上部に軽液用の第二吸引口ｃを開口している。尚、重液用パイプ４及び軽液用パイプ５の内径は同じであっても、相違していても良いが、相違する場合には各重液Ａ及び軽液Ｂの収納量をそれぞれ調整する必要がある。
【００１９】
浮き17は、全体が軽液Ｂより軽いもの、或いは内蔵空気の浮力により軽液Ｂ上部に浮くもので、浮いた状態で軽液用パイプ５を支持できるものが採用でき、各構成要因により軽液Ｂ上部に浮く状態を得られれば採用できる。例えば、図１の実施例の如く、内部に空気を密封したものや、図２に示す実施例の如く、それ自体が軽液Ｂ上部に浮くもの等が採用でき、具体的には、例えば、合成樹脂や発泡合成樹脂により形成されたものが採用できるが、材質はこれに限られない。
【００２０】
図１に示す実施例では、シリンダ14下端外周に上部を液密に嵌合させるとともに、下部を二股に分岐した第一連結部材18を設け、この第一連結部材18の二股の一方に重液用パイプ４の上端を嵌着固定し、また、他方に軽液用パイプ５の一端を嵌着固定している。
【００２１】
また、浮き17は、空気を充満した中空球状をなし、第二連結部材19を介して軽液用パイプ５の他端と連結している。第二連結部材19は、軽液用パイプ５内に密嵌する小径筒部と、浮き17下面に突設した突部20に嵌合する大径筒部とを備え、大径筒部部分に開口した透孔を軽液用の第二吸引口ｃとして軽液Ｂ上部に開口している。尚、軽液用パイプ５の他端は直接突部20に嵌着固定し、パイプ先端部分に穿設した透孔を第二吸引口ｃとすることも可能である。
【００２２】
上記噴出器１を使用する場合について説明すると、噴出ヘッド16を押し下げて噴出口15より液を噴出させた後、ヘッドの押圧を解除して作動部材が上昇する際に、第一吸引口ｂから重液Ａが、第二吸引口ｃから軽液が、それぞれシリンダ14内へ吸引される。各液のシリンダ14内への吸引に伴い、容器体２内の各液が減少し、その結果、軽液Ｂに浮かせた浮き17が下方へ移行し、その際、可撓性の軽液用パイプ５は、例えば、湾曲部分が浮き17側からシリンダ14側へ移行する如く変形する。
【００２３】
図２及び図３は他の実施例を示すもので、本実施例では、容器体２を透明に形成して外部より内部状況が観察できる様に構成しており、また、中央窓孔21に重液用パイプ４を挿通させて吸い込み口ａ下方の軽液Ｂに浮かせた板状の浮き17を採用しており、また、一端を吸い込み口ａに連通固定するとともに、他端を浮き17に貫設した透孔に密嵌させて螺旋状に弛んだ状態で支持され、軽液Ｂ内上部に軽液用の第二吸引口ｃを開口した軽液用パイプ５を採用している。
【００２４】
本実施例では、容器体口頚部７に直接装着筒13を介してポンプ３を固定しており、また、ポンプ３の吸い込み口ａ内に嵌着した第一連結部材18により各パイプを連通固定させている。この第一連結部材18は、吸い込み口ａ内に嵌合する周壁下面に、吸い込み口ａを閉塞する底壁を延設し、この底壁に下端を開口した二つの嵌合筒状上方に立設して構成しており、各嵌合筒内に各パイプの一端を嵌着させている。
【００２５】
尚、上記各部材は主として合成樹脂により形成すると良い。
【００２６】
【発明の効果】
以上説明した如く、本発明液体噴出器は、既述構成としたことにより、二つの容器体を必要としないとともに、二つのポンプの必要もなく比重の相違する互いに非溶解性の二液を同時に保存しておくことができて嵩張らず、また、同時に混合液を噴出することができて使い勝手が良く、極めて経済的に二液の保存，噴出を行えるものである。
【００２７】
また、容器を振って収納液を攪拌混合する等の手間もなく、混合が不充分で不均一な混合比の液が噴出される等の虞もなく、常時略同混合比の混合液を噴出することができるものである。
【００２８】
また、請求項２発明のポンプでは、簡単な構造であり、その結果、製造が容易で安価に得られる利点を兼ね備えている。
【００２９】
更に、請求項３発明のポンプでも、簡単な構造であり、同様に製造が容易で安価に得られる利点を備えている。また、比較的残液を少なく効率良く二液の噴出を行えるものである。
【図面の簡単な説明】
【図１】本発明の一実施例を示す一部切欠き側面図である。
【図２】本発明の他の実施例を示す一部切欠き側面図である。
【図３】同実施例の斜視図である。
【符号の説明】
２…容器体，３…ポンプ，４…重液用パイプ，５…軽液用パイプ，６…胴部，
７…口頚部，17…浮き，21…窓孔，Ａ…重液，Ｂ…軽液，ａ…吸い込み口，
ｂ…第一吸引口，ｃ…第二吸引口
【図１】
0003710634.tif 000002
【図２】
0003710634.tif 000003
【図３】
0003710634.tif 000004